(57)【要約】 【課題】  ホースを吸込口体から取り外して塵埃を吸込む高所・狭所用掃除形態の際に、確実に回転清掃体の駆動を止めることができる電気掃除機を提供することを目的とする。【解決手段】  掃除機本体４は、吸込口体３から塵埃を吸引する掃除形態と、延長管２０を延長管接続部２１から取り外すことにより、吸込口体３を介さずに直接延長管２０から塵埃を吸引する掃除形態を有している。電動送風機７の出力軸と吸込口体３内に設けた回転清掃体とは、タイミングベルト、プーリ、電磁クラッチ等を介して連結されており、延長管２０を延長管接続部２１から取り外す動作に連動して、電磁クラッチにより電動送風機７と回転清掃体２８との連結を離脱させる構成とした。【選択図】  図１
2006174971.tif 000002
【特許請求の範囲】
【請求項１】
吸引口を有した電動送風機と、
前記電動送風機を内蔵した掃除機本体と
前記電動送風機の上流側となるように前記掃除機本体に設けられた吸込開口と、
被清掃部に接触可能となるように前記吸込開口に臨んで設けられた回転清掃体と、
前記吸込開口と連通可能となるように前記掃除機本体に設けられた接続口と、
前記回転清掃体と前記電動送風機とにわたって設けられ、前記回転清掃体に前記電動送風機の動力を伝達する動力伝達手段と、
一端開口が前記吸引口に連通可能となるように前記掃除機本体に接続されて、他端開口が前記接続口に着脱自在に接続される吸込筒体とを備え、
前記他端開口と前記接続口との接続状態では前記吸込開口から吸塵可能であるとともに、前記他端開口と前記接続口との非接続状態では前記他端開口から吸塵可能である電気掃除機であって、
前記吸込筒体の他端開口と前記接続口との非接続状態では、前記動力伝達手段による伝達を解除する伝達切り換え手段を設けた
ことを特徴とした電気掃除機。
【請求項２】
吸引口を有した電動送風機と、
前記電動送風機を内蔵した掃除機本体と、
前記電動送風機の上流側となるように前記掃除機本体に設けられた吸込開口と、
被清掃部に接触可能となるように前記吸込開口に臨んで設けられた回転清掃体と、
前記吸込開口と連通可能となるように前記掃除機本体に設けられた接続口と、
前記回転清掃体と前記電動送風機とにわたって設けられ、前記回転清掃体に前記電動送風機の動力を伝達する動力伝達手段と、
一端開口が前記吸引口に連通可能となるように前記掃除機本体に接続されて、他端開口が前記接続口に着脱自在に接続される吸込筒体と、
前記掃除機本体が被清掃部上を移動する際に把持されるとともに、前記吸込開口の開口面に対して回動可能となるように前記掃除機本体に設けられた操作体と、
前記操作体が前記吸込開口の開口面に対して所定角度で固定されるように回動をロックするロック手段とを備え、
前記他端開口と前記接続口との接続状態では前記吸込開口から吸塵可能であるとともに、前記他端開口と前記接続口との非接続状態では前記他端開口から吸塵可能である電気掃除機であって、
前記操作体の回動がロックされた際に、前記動力伝達手段による伝達を解除する伝達切り換え手段を設けた
ことを特徴とした電気掃除機。
【発明の詳細な説明】
【技術分野】
【０００１】
本発明は、回転清掃体を有した吸込開口を備え、この吸込開口から塵埃を吸込む掃除形態と、吸込口体とは別の吸込管から塵埃を吸込む掃除形態とを選択的に有した電気掃除機に関するものである。
【背景技術】
【０００２】
従来の電気掃除機は、ノズル部を掃除機本体の下部に有するとともに、ノズル部の吸込口と掃除機本体内に設けられた集塵室との間を連通させるための吸引通路の一端をノズル部に着脱自在に備えている。また、ノズル部は、吸込口に臨んで回転清掃体としての回転ブラシを有するとともに、この回転ブラシを駆動する駆動モータを備えている。
【０００３】
そして、使用者は、掃除機本体を床面に置いた（立てた）状態でこの吸引通路の一端をノズル部から取り外して、隙間ノズルなどの別のアタッチメントを装着することにより、ノズル部では掃除しにくい高所や狭所などの掃除箇所を清掃することができる。
【０００４】
更に、吸引通路の一端をノズル部から取り外した際に駆動モータへの通電を切ることにより、アタッチメント使用中は不要な回転ブラシの回転を停止させることで、安全性を向上するとともに、回転ブラシが床面の同じ位置を長時間強く掻くことによる床面への傷つけを防止する。（例えば、特許文献１参照。）
【０００５】
また、吸込ノズル体を掃除機本体の下部に有するとともに、吸込ノズル体の吸込口部の内部に回転ブラシ体を備え、電動送風機の回転軸と回転ブラシ体とを伝達ベルトにより連結し、この伝達ベルトを介して電動送風機の回転力を回転ブラシ体に伝達する電気掃除機が広く知られており、このような電気掃除機においては、回転ブラシ体を駆動するための駆動モータが電動送風機であるため、部品点数の削減や重量の軽減などの特長を有している。（例えば、特許文献２参照。）
【０００６】
【特許文献１】特開２００４−８９２４６号公報
【特許文献２】特開２００４−１６７２６８号公報
【発明の開示】
【発明が解決しようとする課題】
【０００７】
しかしながら、特許文献２に記載したような電気掃除機に、特許文献１のように吸引通路の一端をノズル部から取り外すことによって回転ブラシの回転を停止させる方法を適用しようとすると、吸引通路をノズル部から取り外した際に電動送風機が停止してしまうという不具合が生じるという問題があった。
【０００８】
本発明は、上記事情によりなされたものであり、電動送風機の回転力を回転ブラシ体に伝達するような、電動送風機と回転清掃体との駆動源を共通とすることによって構造を全体として簡単とした電気掃除機においても、ホースを吸込口体から取り外して塵埃を吸込む高所・狭所用掃除形態の際に、確実に回転清掃体の駆動を止めることができる電気掃除機を提供することを目的とする。
【課題を解決するための手段】
【０００９】
上記目的を達成するために、本発明は、吸引口を有した電動送風機と、前記電動送風機を内蔵した掃除機本体と前記電動送風機の上流側となるように前記掃除機本体に設けられた吸込開口と、被清掃部に接触可能となるように前記吸込開口に臨んで設けられた回転清掃体と、前記吸込開口と連通可能となるように前記掃除機本体に設けられた接続口と、前記回転清掃体と前記電動送風機とにわたって設けられ、前記回転清掃体に前記電動送風機の動力を伝達する動力伝達手段と、一端開口が前記吸引口に連通可能となるように前記掃除機本体に接続されて、他端開口が前記接続口に着脱自在に接続される吸込筒体とを備え、前記他端開口と前記接続口との接続状態では前記吸込開口から吸塵可能であるとともに、前記他端開口と前記接続口との非接続状態では前記他端開口から吸塵可能である電気掃除機であって、前記吸込筒体の他端開口と前記接続口との非接続状態では、前記動力伝達手段による伝達を解除する伝達切り換え手段を設けたことを特徴とする。
【発明の効果】
【００１０】
本発明の電気掃除機によると、電動送風機の回転力を回転ブラシ体に伝達するような電気掃除機であっても、吸込筒体を掃除機本体または吸込口体から取り外して塵埃を吸込む高所・狭所用掃除形態の場合に、確実に回転清掃体の駆動を止めることができる。
【発明を実施するための最良の形態】
【００１１】
以下、本発明による電気掃除機の第一の実施形態を、図１〜図６に基づいて説明する。
なお、本明細書中の説明において、前側とは電気掃除機１の前進方向すなわち図１における矢印方向を意味し、後ろ側とは電気掃除機１の後退方向すなわち図１おける矢印と反対の方向を意味するものとする。
【００１２】
図1は、縦形の電気掃除機（アップライト式の電気掃除機）1の斜視図を示している。
この電気掃除機１は、筐体２および吸込口体３とから構成される掃除機本体４を備えている。筐体２内には、下部に電動送風機室５が設けられており、図３に示すように、電動送風機室５内には、吸引口６を有した電動送風機７が内蔵されている。この電動送風機７の連通風路上流側には、前記電動送風機７により吸引された外気から塵埃を捕集する集塵カップ８が、筐体２の上部に設けられた集塵室９内に着脱自在に内装されている。
【００１３】
吸込口体３は、吸込口本体１０とこの吸込口本体１０の前部から両側部にわたって設けられたバンパ１１とを有している。この吸込口体３と筐体２とは、筐体２の下部を中心として筐体２の直立状態から後ろ側に向けて相対的に回動可能となるように連結されている。また、この吸込口体３には、吸込口本体１０下面の前部両側に一対の前輪１２、１２が、後部両側に一対の後輪１３、１３がそれぞれ設けられ（いずれも一方のみ図示）、これら両者からなる走行車輪１４により、吸込口体３は被清掃部としての床面Ｆ上を移動可能となっている。
【００１４】
前記集塵カップ８に連通する連通風路１５には集塵ホース１６の基端部１６ａが接続されており、この集塵ホース１６の自由端１６ｂ側には把手１８を一体的に有する操作管１７が設けられている。そして、この把手１８には手元操作スイッチ１９が取り付けられている。この手元操作スイッチ１９を操作することにより電動送風機７を所定の駆動モードで制御することが可能となっている。
【００１５】
前記操作管１７には、延長管２０の基端２０ａが着脱自在に装着されており、この延長管２０は伸縮自在の２本のパイプからなっている。延長管２０の先端２０ｂ（図１においては下端）は、筐体２の背面下部に一体的に配設された延長管接続部２１内に装着されている。なお、この集塵ホース１６、操作管１７および延長管２０は、吸込筒体Ｗを形成している。
【００１６】
また、延長管２０の中間部には円筒部材２２が設けられており、この円筒部材２２によって延長管２０は掃除機本体４に係止可能となっている。
【００１７】
図２に示すように、前記延長管接続部２１の内部には、一端に接続口２３を有して前記延長管２０の先端２０ｂが接続される接続管２４を有している。延長管２０の先端２０ｂの外周には、シール性を有した軟質材料からなるシールリング２５が固定されており、シールリング２５が延長管接続部２１の内周に密に接して、嵌合部の気密が保持されるようになっている。吸込口体３と接続管２４との間には連通ホース２６が設けられており、接続管２４の風路はこの連通ホース２６によって前述した吸込口体３と連通している。なお、図１で示した、操作管１７、把手１８、および延長管２０は、筐体２に取り付けられた状態において、掃除機本体４が床面Ｆ上を移動する際に使用者によって把持される操作体Ｓとしての役割を果たす。
【００１８】
筐体２の上部には、この筐体２を持ち運びできるように、アーチ状をしている持ち運び用の取っ手２７が一体的に設けられている。この取っ手２７は、電気掃除機１を収納する際や、持ち運ぶ際などに、使用者によって把持される。
【００１９】
吸込口本体１０は、バンパ１１を間にして上下ケースにより形成されている。吸込口本体１０の前部には、図３に示すように、回転清掃体２８を回転自在に収納する吸込室２９が形成され、この吸込室２９の下側には、床面Ｆと対向して開口面３０を有した吸込開口３１が形成されている。
【００２０】
吸込口本体１０の一側には吸込室２９に一端が接続され他端が連通ホース２６に接続された吸込風路３２が形成され、吸込口本体１０の他側には駆動伝達室３３が形成されている。
【００２１】
さらに、電動送風機室５には、電動送風機７からの排気風を筐体２の外部へ排出する排気孔４４が形成されている。
【００２２】
図３および図４に示すように、この駆動伝達室３３には、電動送風機７の出力軸３４が伝達切り換え手段としての電磁クラッチ３５を介して上プーリ３６と連結されて設けられている。また、上プーリ３６はタイミングベルト３７を介してシャフト３８によって挿通された一対の下プーリ３９、４０と連結されている。さらに、下プーリ４０は、回転清掃体２８の回転軸４１の端部に設けられた駆動プーリ４２と、タイミングベルト４３を介して連結されている。そして、これら出力軸３４、電磁クラッチ３５、タイミングベルト３７、４３、シャフト３８、上プーリ３６、下プーリ３９、４０、回転軸４１、駆動プーリ４２は、電動送風機５５の駆動力を回転清掃体２８に伝達する動力伝達手段を形成している。
【００２３】
電磁クラッチ３５は、後述するリミットスイッチ４５のオン／オフによって通電状態と非通電状態とに切り換え可能となるように設けられている。つまり、リミットスイッチの切片４６がリミットスイッチ本体４７の方向に押し下げられることにより、リミットスイッチ４５がオンされて電磁クラッチ３５が通電された状態となり、電磁クラッチ３５内部の電磁石の作用により電動送風機側出力軸３４ａとプーリ側出力軸３４ｂとを連結状態とする。また、切片４６がリミットスイッチ本体４７から離れることにより、リミットスイッチ４５がオフされて電磁クラッチ３５が非通電状態となると、電磁クラッチ３５内部の磁化されていた電磁石が消磁されて両出力軸３４ａ、３４ｂを非連結状態とする。
【００２４】
図３に示すように、筐体２と吸込口体３とは、電動送風機室５の側面両側に設けられた一対の回動軸４８、４９が吸込口本体１０に設けられた一対の軸受け部５０、５１にそれぞれ嵌合することによって、回動自在に連結されており、回動軸４８、４９と軸受け部５０、５１との間、および、出力軸３４と回動軸４８との間は、図示しないシール部材によって気密に保たれている。
【００２５】
筐体２および吸込口体３は、これら一対の回動軸４８、４９の中心を通る軸線と、電動送風機７の出力軸３４の中心を通る軸線とがそれぞれ完全に一致するように形成されている。
【００２６】
また、回動軸４７の中央部には、筐体２と吸込口体３との間にわたってねじりばね５２が設けられている。このねじりばね５２は、図２において筐体２が吸込口体３に対して相対的に時計回りに回転するように付勢している。吸込口体３の吸込開口３１は、ねじりばね５２の付勢力により、掃除の間、常に床面Fに対して押し付けられることになり、それにより吸込口本体１０の前部が浮き上がってリークすることにより吸込室２９の負圧が低下するのを防止している。
【００２７】
筐体２の底部および吸込口本体１０の上部には、操作体Ｓが、開口面３０に対して所定角度（本実施形態では略９０°）で固定可能となるように、ロック手段Ｒとしての係止突部５３、５４がそれぞれ設けられている。係止突部５３、５４は、使用者がねじりばね５２の付勢力に抗して操作体Ｓを傾倒状態から直立状態にする際に、それぞれ微小な弾性変形を起こしてお互いを乗り越え、直立動作完了後には、お互いに係合することにより、ねじりばね５２による付勢力によって操作体Ｓが吸込口体３の後退方向に倒れようとするのを防止する。これにより、操作体Ｓは、開口面３０に対して直立状態に保たれる。
【００２８】
図５（ａ）は、図１に示すような、延長管２０を筐体２に装着させた状態における部分拡大図であり、円筒部材２２は、円筒部本体５５と、この円筒部本体５５から突出する突出部５６ａおよび突出部５６ａの端部を折り曲げて設けられた垂下部５６ｂとからなる引っ掛け部５６、係止凹部５７とから形成されている。
【００２９】
また、筐体２の後方上部には、前述した係止凹部５７と嵌合して、延長管２０が掃除機本体４に対して上下方向へ移動するのを規制するスライド部材５８、垂下部５６ｂが挿通することにより、延長管２０が掃除機本体４に対して前後方向および左右方向に移動するのを規制する垂下部挿通孔６３、スライド部材５８を筐体２に対して前後方向にスライド可能とするスライド部材移動溝６４がそれぞれ設けられている。
【００３０】
スライド部材５８は、つまみ５９と、前後方向にわたって伸びる棒体６０と、これら両者をつなぐ連結棒６１と、棒体６０において連結棒６１より前方側に設けられた正面視円形の円板部材６２とによって形成されており、つまみ５９は平面視でスライド部材移動溝６４をふさぐように筐体２に取り付けられており、天壁６５の上面をスライド可能となっている。そして、スライド部材５８のスライド範囲は、スライド部材移動溝６４の前後方向の長さにより規定されており、その長さは、少なくとも、スライド部材５８がスライド部材移動溝６４の後端に位置する際にはつまみ５９と係止凹部５７とが係合し、スライド部材５８がスライド部材移動溝６４の後端に位置する際にはつまみ５９と係止凹部５７との係合が外れるように設定されている。
【００３１】
円板部材６２と前壁６６との間にはコイルばね６８が設けられている。このコイルばね６８は、一端が円板部材６２に取り付けられ、他端が前壁６６に取り付けられて、常態でスライド部材６２がスライド部材移動溝６４の後端部に位置するように、円板部材６２を常に後方に付勢している。
【００３２】
後壁６７の前面には、リミットスイッチ４５が設けられている。このリミットスイッチの切片４６は、垂下部５６ｂの先端部と当接可能な位置に設けられており、使用者が垂下部５６ｂを垂下部挿通孔６３に通して、引っ掛け部５６の下面を天壁７２の上面に引っ掛けることによって、垂下部５６ｂの先端がリミットスイッチ４５の切片４６を押圧することによりオン状態となる。また、図６に示すようにこのリミットスイッチ４５は、図示しないリード線により、マイクロコンピュータ８２を介して電磁クラッチ３５と接続されており、延長管２０と接続口２３との接続状態を検出する手段としての役割を果たしている。
【００３３】
また、図５（ｂ）は、延長管２０を筐体２から取り外す際に、使用者がスライド部材５８をスライドさせた状態における円筒部材２２とスライド部材５８およびリミットスイッチ４５との関係を示している。
【００３４】
この状態においては、つまみ５９が、コイルばね６８の付勢に抗して円筒部材２２の係止凹部５７との嵌合から外れて延長管２０の筐体２に対する上下方向の位置決めを解除するが、延長管２０と接続口２３とは接続状態にあるため、リミットスイッチ４５はオン状態を保っている。そして使用者は、延長管２０を筐体２から引き抜く、すなわち、垂下部５６ｂと垂下部挿通孔６３との係合を外すことにより、延長管２０の筐体２に対する水平方向の位置決めを解除する。それにともない、延長管２０と接続口２３とは非接続状態となるとともに、リミットスイッチ４５はオフ状態となる。
【００３５】
また、図５（ｃ）は、延長管２０を筐体２から取り外した状態におけるスライド部材５８およびリミットスイッチ４５との関係を示している。
【００３６】
スライド部材５８は、コイルばね６８により後ろ側に付勢される。また、リミットスイッチ４５は、オフ状態を維持する。
【００３７】
次に、上記第一の実施の形態の動作を説明する。
【００３８】
床面を掃除する掃除形態では、まず使用者は、延長管２０の先端２０ｂを延長管接続部２１内の接続口２３に接続させた状態で把手１８を把持し、手元操作スイッチ１９を操作して電動送風機７を所定の駆動モードで動作させる。
【００３９】
そして使用者は、把手１８を把持した状態で、一対の回動軸４８、４９を回動中心として操作体Ｓを開口面３０に対して回動させて、吸込口体３を床面Ｆ上で前後に移動させることにより、床面Ｆの清掃を行う。
【００４０】
この状態においてリミットスイッチ４５は、図５（ａ）に示すように、垂下部５６ｂの先端部が切片４６に対する押圧状態を保っているためオン状態を保持しており、それにともない電磁クラッチ３５は通電状態を維持して電動送風機側出力軸３４ａとプーリ側出力軸３４ｂとの連結を保持するため、回転清掃体２８は駆動状態を維持されて床面Ｆの塵埃を掻き出す。
【００４１】
また、電動送風機７０の駆動により吸引口６に発生した負圧により、吸込口体３の吸込開口３３から吸込まれた塵埃を含んだ空気は、吸込室２９、風路１８、連通ホース２６、接続管２４、延長管２０、ホース１６、連通風路１５を経て集塵カップ８内に吸込まれ、塵埃は集塵カップ８内で分離蓄積され、空気は集塵カップ８を通過した後、電動送風機７を経て電動送風機室５に設けた排気孔４４より掃除機本体４の外に排出される。
【００４２】
このようにして使用者は、床面を掃除する形態においては、回転清掃体２８で塵埃を掻き出しつつ清掃することができる。
【００４３】
次に、天井などの高所やベッドと床面との間などの狭所の清掃を行う場合、使用者は、掃除機本体４が直立状態となるように、把手１８を把持しながらねじりばね５２の付勢力に抗して筐体２を起こす。その際、図２に示すように、筐体２の係止突部５２が吸込口体３の係止突部５３を完全に乗り越えて、操作体Ｓの開口面３０に対する直立状態が保持される。
【００４４】
そして、図５（ａ）において使用者は、スライド部材５８のつまみ５９を前側にスライドさせ、円筒部材２２の係止凹部５７と棒体６０の先端部２３ｂとの嵌合を外す。さらに使用者は、この状態を維持させながら、円筒部材２２の引っ掛け部５６を垂下部挿通孔６３から引き抜くことにより、延長管２０を筐体２から取り外す。
【００４５】
このようにして使用者は、掃除機本体４から取り外した延長管２０を把持して、高所や狭所などの清掃を行うが、この際、垂下部５６ｂが切片４６から離れるため、リミットスイッチ４５はオン状態からオフ状態へと切り換わる。それにともない電磁クラッチ３５への通電が断たれ、電動送風機７の出力軸３４と回転清掃体２８への動力の伝達が断たれるため、回転清掃体２８は動力を失ってやがて回転を停止する。
【００４６】
なお、再び床面掃除形態で清掃を行う際には、以上説明した動作と逆の手順を行えばよい。その際、延長管２０の先端２０ｂを接続口２３に接続した際、すなわち、垂下部５６ｂを垂下部挿通孔６３に挿通させて切片４６を押圧した際に、リミットスイッチはオン状態となるため、再び回転清掃体２８は回転を始め、床面に溜まった塵埃を掻き出す。
【００４７】
以上説明したように、第一の実施の形態によれば、床面掃除形態と高所・狭所用掃除形態とを選択可能な電気掃除機１において、高所・狭所用掃除形態の場合に、延長管２０を掃除機本体４から取り外す動作に連動して電動送風機７と回転清掃体２８との連結を離脱させる構成としたので、電動送風機と回転清掃体との駆動源を共通とすることによって、構造を全体として簡単とした電気掃除機であっても、高所・狭所の掃除中は確実に回転清掃体の駆動を止めることができ、不要な回転清掃体の回転を停止させることができる。したがって、高所の掃除中に掃除機本体を床面に立てて置いても、回転ブラシが床面の同じ位置を長時間強く掻くことによる床面への傷つけを防止することができる。
【００４８】
なお、上記第一の実施形態においては、延長管２０の離脱動作を取り外す動作を検出する手段としてリミットスイッチ４５を筐体２内部に設けたが、リミットスイッチ４５を設ける場所はこれに限定されるものではなく、延長管２０と掃除機本体４との着脱が検知できる場所であれば、例えば、延長管接続部２１内に設けるなど、他の様々な構成とすることが可能である。
【００４９】
また、延長管２０の離脱動作を取り外す動作を検出する手段としてリミットスイッチ４５を使用したが、その手段としてはこれに限定されるものではなく、例えば、送光部と受光部を有した光学式の光センサを延長管接続部２１内に設けるなど、他の様々な検出手段を用いることが可能である。
【００５０】
次に、第二の実施の形態を図７〜図９を参照して説明する。なお、上記第一の実施の形態と同様の構成および作用については、同一符号を付してその説明を省略する。
【００５１】
この図７〜図９に示す実施の形態は、筐体２の底部に振動センサ６９が設けられている。この振動センサ６９は、筐体２が吸込口体３に対して直立状態となったときに床面Ｆに対して水平状態となるように設けられている。
【００５２】
この振動センサ６９は、センサ本体７０を有している。センサ本体７０は、円板状の基盤７１と、この基盤７１を覆うカバー７２とで構成されている。基盤７１の上面は、球面状の転動面７３が形成されている。カバー７２は、円筒状の周壁７４と、この周壁７４の開口端を閉塞する上壁７５とを有し、この上壁７５は、転動面７３と向かい合っており、この転動面７３と同じ曲率半径を有した球面形状を形成している。そして、このカバー７２は、基盤７１の転動面７３と協働してセンサ本体７０の内部に転動空間７６を構成しており、この転動空間７６は、転動面７３上に図示しない平面視円形の検出領域を規定している。
【００５３】
転動空間７６には、導電性を有する球体７７が収容されている。球体７７は、センサ本体７０が振動した時に、転動空間７６を転動面７３に沿って任意な方向に転動するようになっている。
【００５４】
球体７７が転動する転動面７３上には、正極接点７８と負極接点７９とが平面視円形となるように検出領域の径方向に交互に複数配置されて、転動面７３から僅かに突出されているが、図９に示すように、球体７７が転動面７３の中心部にある状態においては両極接点のどちらにも接しないように中央部を除いて設けられている。そして、これら複数の正極接点７８はそれぞれ電気的に接続されており、図示しない正極パターンを形成している。また、同様にこれら複数の負極接点７９はそれぞれ電気的に接続されており、図示しない負極パターンを形成している。
【００５５】
正極パターンおよび負極パターンは、それぞれ検出領域の外方に引き出されるとともに、それぞれリード線８０、８１を介してマイクロコンピュータ８２の入力端に接続されている。
【００５６】
これら正極接点７８と負極接点７９との配置間隔Ｓ（図９に示す）は、上記球体７７が跨るような大きさに定められており、この球体７７が正極接点７８と負極接点７９とに跨った時に、正極パターンと負極パターンとが電気的に導通されるようになっている。
【００５７】
マイクロコンピュータ８２は、球体７７が両電極接点７８、７９上を転動している際および球体７７が両電極接点上に静止している際に、マイクロコンピュータ８２の入力端に加わる電圧を検出している。そして、上記のように球体７７が転動または静止にかかわらず両電極接点７８、７９上に跨っていると検知したとき、すなわち、筐体２が吸込口体３に対して垂直でない状態のときは、電気掃除機１が床面掃除形態であると判断する。そして、電磁クラッチ３５に対して通電状態を維持するように制御するため、電動送風機側出力軸３４ａとプーリ側出力軸３４ｂは連結を保持し、回転清掃体２８は駆動状態を維持されて床面Ｆの塵埃を掻き出す。
【００５８】
また、マイクロコンピュータ８２は、球体７７が転動面７３の中央部に静止している際には、球体７７と両電極接点７８、７９との接触がないため、入力端より電圧の検出をすることはない。そして、このような状態にあるときには、マイクロコンピュータ８２は、掃除機本体４が吸込口体３に対して直立な状態、すなわち高所・狭所用掃除形態にあると判断する。そして、電磁クラッチ３５に対して非通電状態となるように制御するため、電動送風機側出力軸３４ａとプーリ側出力軸３４ｂは連結を断たれ、回転清掃体２８はやがて回転を停止する。
【００５９】
次に、上記第二の実施の形態の動作を説明する。
【００６０】
床面を掃除する掃除形態では、まず使用者は、延長管２０の先端２０ｂを延長管接続部２１内に装着した状態で把手１８を把持し、手元操作スイッチ１９を操作して電動送風機７を所定の駆動モードで動作させる。
【００６１】
そして使用者は、把手１８を把持した状態で、一対の回動軸４８、４９を回動中心として操作体Ｓを開口面３０に対して回動させて、吸込口体３を床面Ｆ上で前後に移動させることにより、床面Ｆの清掃を行う。
【００６２】
この状態において振動センサ６９は、球体７７が正極パターンおよび負極パターンを横断するように転動面７３上を転動し続けるため、回転清掃体は回転を続ける。また、使用者が、掃除機本体が一定の傾きを維持するように把手１８を把持しつつ、吸込口体３を前後どちらか一方向に等速度で移動させている場合は、球体７７は転動を止めて両電極接点７２、７３上に静止するが、この場合も同様に回転清掃体は回転を続ける。
【００６３】
そして、電動送風機７０の駆動により発生した負圧により、吸込口体３の吸込開口３３から吸込まれた塵埃を含んだ空気は、吸込室２９、風路１８、連通ホース２６、接続管２４、延長管２０、ホース１０、連通風路１５を経て集塵カップ８内に吸込まれ、塵埃は集塵カップ８内で分離されて蓄積され、空気は集塵カップ８を通過して、電動送風機７を経て電動送風機室５に設けた排気孔４４より掃除機本体４の外に排出される。
【００６４】
このようにして使用者は、床面Ｆに溜まった塵埃を、回転清掃体２８で掻き出しつつ集塵カップ８内に蓄積することができる。
【００６５】
次に、天井などの高所やベッドと床面との間などの狭所の清掃を行う場合、使用者は、延長管２０を掃除機本体４から取り外すために、操作体Ｓが、開口面３０に対して所定の角度（本実施形態では略９０°）となるように、把手１８を把持しながら操作体Ｓを開口面３０に対して回動させて、ねじりばね５２の付勢力に反して筐体２を起こす。その際、図２に示すように、掃除機本体４の係止突部５２が吸込口体３の係止突部５３を完全に乗り越えて、掃除機本体４の直立状態が保持される。
【００６６】
それにともない、図７に示すように振動センサ６９は、床面Ｆに対して水平な状態に保たれるため、図９に示すように球体７７は、重力に従って球面状に形成された転動面７３の中心部に静止する。
【００６７】
すると、球体７７による正極パターンと負極パターン間の電気的な導通が失わることにより電磁クラッチ３５への通電が断たれて、電動送風機７の出力軸３４と回転清掃体２８との動力の伝達が断たれるため、回転清掃体２８は動力を失ってやがて回転を停止する。
【００６８】
以上説明したように、第二の実施形態によれば、床面掃除形態と高所・狭所用掃除形態とを選択可能であるとともに、掃除機本体４と吸込口体３とが回動自在に設けられた電気掃除機１において、高所・狭所用掃除形態の場合に、操作体としての操作体Ｓを、ロック手段としての係止突部５３、５４により、開口面３０に対して所定の角度で固定した際に、電動送風機７と回転清掃体２８との連結を離脱させる構成としたので、電動送風機の回転力を駆動源として回転清掃体に直接伝達するような電気掃除機であっても、確実に回転清掃体の駆動を止めることができ、高所・狭所の掃除中は不要な回転清掃体の回転を停止させることができる。また、安全性を向上することができ、さらに回転ブラシが床面の同じ位置を長時間強く掻くことによる床面への傷つけを防止することができる。
【００６９】
なお、上記第二の実施の形態では、操作体Ｓが開口面３０に対して所定の角度となったことを検出する手段として振動センサ６９を使用したが、これに限定されるものではない。
【００７０】
例えば、図１０に示すように、表面が係合突部５４と係合可能な形状に形成された筒部８３ａを有する、可動接点としての金属製のプッシュスイッチ本体８３と、固定接点８４と、プッシュスイッチ本体８３を筐体２の下方に向けて常に付勢するコイルばね８５とから構成されるプッシュスイッチ８６を用いてもよい。このプッシュスイッチ８６は、図示しないリード線によってマイクロコンピュータ８２と電気的に接続されているため、筐体２と吸込口体３とが相対的に回動状態にあるときは、コイルばね８５の作用により接点部８３ｂと固定接点８４が常に導通して、マイクロコンピュータ８２は電磁クラッチ３５を接続状態に保つ。また、筐体２を吸込口体３に対して垂直となるようにした時には、前述した筒部８３ａと係合突部５４とが係合して筐体２と吸込口体３との回動がロックされた状態になるとともに、コイルばね８５の付勢に抗して係止突部５４に押圧されることによりプッシュスイッチ８３と固定接点８４との導通が断たれるので、マイクロコンピュータ８２は操作体Ｓが開口面３０に対して所定の角度になったと判断して電磁クラッチ３５を非接続状態とする。
【００７１】
このような構成にすれば、前述した振動センサ６２を使用するのに対して比較的簡単な構成であるとともに、プッシュスイッチ８６が筐体２と吸込口体３とのロック手段をも兼ねるため、部品点数を削減できて安価である。
【００７２】
また、このほかにも、光学式センサなど、他の様々な検出手段を用いることが可能である。
【００７３】
さらに、上記各実施の形態において、操作体Ｓの回動をロックする構成は、他の様々な構成とすることが可能である。
【００７４】
そして、電動送風機７と回転清掃体２８とを伝達状態と非伝達状態とに切り換える伝達切り換え手段として電磁クラッチ３５を用いたが、他の様々な構成とすることが可能である。
【図面の簡単な説明】
【００７５】
【図１】本発明の第一の実施の形態の電気掃除機の全体斜視図である。
【図２】同上電気掃除機の掃除機本体が直立した状態において、一部切り欠いて示した断面図である。
【図３】同上電気掃除機の吸込口体の平面断面図である。
【図４】同上電気掃除機の動力伝達手段としてのプーリである。
【図５】図５（ａ）は、同上電気掃除機の延長管を掃除機本体に装着した部分を、一部切り欠いて示す側面断面図である。  図５（ｂ）は、同上電気掃除機の延長管を掃除機本体から取り外す動作を示す側面断面図である。  図５（ｃ）は、同上電気掃除機の延長管を掃除機本体から取り外した状態を示す側面断面図である。
【図６】同上電気掃除機のブロック図である。
【図７】本発明の第二の実施の形態を示すものであり、同上電気掃除機の掃除機本体が直立した状態において、一部切り欠いて示した断面図である。
【図８】同上電気掃除機の振動センサを示す斜視図である。
【図９】同上振動センサの側面断面図である。
【図１０】本発明の他の実施形態を示すものであり、同上電気掃除機の同上電気掃除機の掃除機本体が直立した状態において、一部切り欠いて示した断面図である。
【符号の説明】
【００７６】
１  電気掃除機、
２  筐体、
３  吸込口体、
４  掃除機本体、
６  吸引口、
７  電動送風機、
１６  集塵ホース（吸込筒体）、
１７  操作管（吸込筒体）（操作体）、
１８  把手（操作体）、
２０  延長管（吸込筒体）（操作体）、
２３  接続口、
２８  回転清掃体、
３０  開口面、
３１  吸込開口、
３４  出力軸（動力伝達手段）、
３５  電磁クラッチ（動力伝達手段）（伝達切り換え手段）、
３６  上プーリ（動力伝達手段）、
３７、４３  タイミングベルト（動力伝達手段）、
３８  シャフト（動力伝達手段）、
３９、４０  下プーリ（動力伝達手段）、
４１  回転軸、
４２  駆動プーリ、
４３  タイミングベルト、
Ｆ  床面（被清掃部）
【図１】
2006174971.tif 000003
【図２】
2006174971.tif 000004
【図３】
2006174971.tif 000005
【図４】
2006174971.tif 000006
【図５】
2006174971.tif 000007
【図６】
2006174971.tif 000008
【図７】
2006174971.tif 000009
【図８】
2006174971.tif 000010
【図９】
2006174971.tif 000011
【図１０】
2006174971.tif 000012